(57)【要約】【課題】タイルを施工するタイル施工者にかかる手間を抑えることができるタイル割付けプログラムを提供する。【解決手段】タイル割付けプログラムは、少なくともタイルを貼り付ける貼付け面の形状及び寸法、タイルの配列パターン、及びタイルを特定する情報を含む入力情報の入力を受け付ける入力受付部と、入力情報に基づいて、貼付け面に対するタイルの割付けを演算して演算結果として算出する演算部と、演算結果を表示部に表示させる表示制御部としてタイル割付け装置１０を機能させるタイル割付けプログラムである。タイルの割付けには、少なくともタイルの総数、切断するタイルの数、及び切断後のタイルの寸法が含まれる。【選択図】図１
2020149465.tif 000002
【特許請求の範囲】
【請求項１】
少なくともタイルを貼り付ける貼付け面の形状及び寸法、前記タイルの配列パターン、及び前記タイルを特定する情報を含む入力情報の入力を受け付ける入力受付部と、
前記入力情報に基づいて、前記貼付け面に対する前記タイルの割付けを演算して演算結果として算出する演算部と、
前記演算結果を表示する表示部に表示させる表示制御部としてタイル割付け装置を機能させるタイル割付けプログラムであって、
前記タイルの割付けには、少なくとも前記タイルの総数、切断する前記タイルの数、及び切断後の前記タイルの寸法が含まれることを特徴とするタイル割付けプログラム。
【請求項２】
前記タイルの割付けには、さらに前記タイルの貼り付け位置が含まれる請求項１に記載のタイル割付けプログラム。
【請求項３】
前記演算部は、前記貼付け面における墨出し位置を演算し、
前記表示制御部は、前記墨出し位置を前記表示部に表示させる、
請求項１又は２に記載のタイル割付けプログラム。
【請求項４】
前記貼付け面の形状及び寸法を修正する修正部として前記タイル割付け装置を機能させることを特徴とする請求項１から３までのいずれか１項に記載のタイル割付けプログラム。
【請求項５】
前記演算部は、複数種類の前記演算結果を算出し、
前記表示制御部は、複数種類の前記演算結果のそれぞれを前記表示部に表示させることを特徴とする請求項１から４までのいずれか１項に記載のタイル割付けプログラム。
【請求項６】
前記入力受付部は、仕上がり及び貼り付け作業の効率を優先する度合いの入力を受け付けることを特徴とする請求項１から５までのいずれか１項に記載のタイル割付けプログラム。
【請求項７】
前記表示制御部は、前記貼付け面に前記タイルを貼り付けた状態を表す画像を前記表示部に表示させることを特徴とする請求項１から６までのいずれか１項に記載のタイル割付けプログラム。
【発明の詳細な説明】
【技術分野】
【０００１】
タイル割付けプログラムに関するものである。
【背景技術】
【０００２】
特許文献１にはタイル施工対象面の縦横寸法及びタイル規格寸法データに基づいて、タイルの短辺がタイル施工対象面の両側端と面一になり、目地幅が一定で且つ許容範囲に収まるように横一列に整数枚並べたときの、一列に含まれる長辺長さ別のタイル枚数と目地幅とを算出するタイル施工立案方法、及びタイル施工立案システムが開示されている。
【先行技術文献】
【特許文献】
【０００３】
【特許文献１】特開２００５−２７５９８３号公報
【発明の概要】
【発明が解決しようとする課題】
【０００４】
実際のタイル施工現場では、タイルを施工するタイル施工者がタイルを貼り付ける貼付け面（以下、貼付け面ともいう）にタイルを割付ける際、貼付け面の全体の割付けで左右方向の寸法の調整が必要になることがある。この場合、タイル施工者は、例えば、一部のタイルを切断することによって寸法の調整をすることになり手間がかかっていた。さらに、ユニットタイルの場合、例えばユニットの状態からタイルを１枚ずつ切り離し、切り離したタイルを１枚ずつ切断して貼り付ける必要があるため、タイル施工者にはさらに大きな手間がかかる。（ユニットタイルとは複数のタイルが縦方向と横方向とのそれぞれに所定の数並べられた状態で台紙等が貼り付けられ、並べられた状態が保持されたものである。）。また、実際の貼付け面の外形は矩形とは限らず、窓や換気扇等を配置するために開口部が設けられる。これにより、実際の貼付け面は寸法を調整する箇所が多くなるため、タイル施工者にはさらに多くの手間がかかる。
特許文献１には、長辺長さのタイルの寸法をタイル規格寸法データファイルから選択して貼付け面に割付ける方法が開示されている。このため、特許文献１では、所望の寸法（切断したタイルの寸法）がタイル規格寸法データファイルにない場合が起こり得ると考えられる。特許文献１には目地幅を一定で且つ許容範囲に納めることが記載されているが、意匠上の制約によって、実際には許容範囲内に納めることは事実上不可能であり、この場合、タイル施工者には一部のタイルを所望の寸法に切断して寸法調整する手間がかかることになってしまう。
【０００５】
本発明は、上記従来の事情に鑑みてなされたものであって、タイルを施工するタイル施工者にかかる手間を抑えることができるタイル割付けプログラムを提供することを解決すべき課題としている。
【課題を解決するための手段】
【０００６】
本発明のタイル割付けプログラムは、
少なくともタイルを貼り付ける貼付け面の形状及び寸法、前記タイルの配列パターン、及び前記タイルを特定する情報を含む入力情報の入力を受け付ける入力する入力受付部と、
前記入力情報に基づいて、前記貼付け面に対する前記タイルの割付けを演算して演算結果として算出する演算部と、
前記演算結果を表示部に表示させる表示制御部としてタイル割付け装置を機能させるタイル割付けプログラムであって、
前記タイルの割付けには、少なくとも前記タイルの総数、切断する前記タイルの数、及び切断後の前記タイルの寸法が含まれることを特徴とする。
【０００７】
タイル工事の施工工数や仕上がりは、概してタイル職人の経験や技量によるところが大きい。
このタイル割付けプログラムによれば、演算部において、タイルの総数、切断するタイルの数、及び切断後のタイルの寸法を演算結果として得ることができる。このため、タイルを施工する前に、予めタイルを切断することができるため、タイル施工者が現物合わせでタイルを切断して施工する手間を抑えることができる。
【０００８】
したがって、本発明のタイル割付けプログラムはタイルを施工するタイル施工者にかかる手間を抑えることができ、また、タイル施工者の技量によらず、タイルを貼付けた貼付け面の仕上がりのばらつきを抑え安定した仕上がりにすることができる。
【図面の簡単な説明】
【０００９】
【図１】実施例１のタイル割付けプログラムが実装されるタイル割付け装置を示す機能ブロック図である。
【図２】タイル割付け装置で実施例１のタイル割付けプログラムを動作させてタイルの割付けを演算し演算結果を算出する手順を示すフローチャートである。
【図３】タイル割付け装置に貼付け面の図面を取り込む際にディスプレイに表示される図面取り込み画面を示す模式図である。
【図４】貼付け面が矩形状でない場合における貼付け面の区分けの方法を示す模式図である。
【図５】施工するタイルの種類を選択する際にディスプレイに表示されるタイル選択画面を示す模式図である。
【図６】測定したタイルの実寸法をタイル割付け装置に入力する際にディスプレイに表示されるタイル実寸法入力画面を示す模式図である。
【図７】貼付け面の左右両端において出隅か入隅かを選択する際に、ディスプレイに表示される出隅入隅選択画面を示す模式図である。
【図８】貼付け面に対するタイルの割付け、及び貼付け面における墨出しを演算し、演算結果を表示する際に、ディスプレイに表示される割付け墨出し表示画面を示す模式図である。
【図９】各開口部の左右に隣接するタイルの切断後の寸法を拾い出す際に、ディスプレイに表示される寸法拾い出し画面を示す模式図である。
【図１０】各開口部におけるタイルの切断後の寸法の一覧表を表示する際に、ディスプレイに表示される切断寸法一覧表を示す模式図である。
【図１１】貼付け面の左右方向寸法、タイルの寸法、目地の寸法、出隅用の役物の寸法、切断タイルの寸法の関係を示す貼付け面の模式図である。
【図１２】実施例１における、効率重視型のタイル割付け方法を示すフローチャートである。
【図１３】効率重視型のタイルの割付け方法において、貼付け面における切断タイルの配置、及び貼付け面の左右の端から各開口部までの距離を示す貼付け面の模式図である。
【図１４】実施例１における、仕上がり重視型のタイル割付け方法を示すフローチャートである。
【図１５】仕上がり重視型のタイルの割付け方法において、貼付け面における切断タイルの配置、及び貼付け面の左右の端から各開口部までの距離を示す貼付け面の模式図である。
【図１６】実施例１における、バランス型のタイル割付け方法を示すフローチャートである。
【図１７】バランス型のタイルの割付け方法において、貼付け面における切断タイルの配置を左右に並ぶ開口部のそれぞれに配置した状態を示す貼付け面の模式図である。
【図１８】バランス型のタイルの割付け方法において、貼付け面における切断タイルの配置を右側の開口部に配置した状態を示す貼付け面の模式図である。
【発明を実施するための形態】
【００１０】
本発明における好ましい実施の形態を説明する。
【００１１】
本発明のタイル割付けプログラムは、タイルの割付けに、さらにタイルの貼り付け位置が含まれ得る。この場合、タイル施工者は切断後のタイルの貼り付け位置を把握することができるため、貼付け面にタイルを効率よく貼り付けることができる。
【００１２】
本発明のタイル割付けプログラムの演算部は、貼付け面における墨出し位置を演算し、表示制御部は、墨出し位置を表示部に表示させ得る。この場合、タイル施工者は、予め墨出し位置を把握することができるため、貼付け面に対して墨出しを容易に行うことができる。墨出しとは、貼付け面における基準となる線、又は貼付け面における基準となる位置を貼付け面に記すことである。墨出し位置とは、例えば、タイルの施工に必要な貼付け面における基準となる線、又は貼付け面における基準となる位置を示すための墨出しを行う位置を表す。
【００１３】
本発明のタイル割付けプログラムは、貼付け面の形状及び寸法を修正する修正部としてタイル割付け装置を機能させ得る。この場合、このタイル割付けプログラムは貼付け面の寸法を修正することができる。例えば、図面に基づいて貼付け面の寸法を入力受付部で入力した後、現物の貼付け面の寸法を確認し、図面と現物との間に差異があることが判明した場合であっても、修正部によって既に入力した貼付け面の寸法を現物の貼付け面の寸法に容易に修正することができる。
【００１４】
本発明のタイル割付けプログラムの演算部は、複数種類の演算結果を算出し、表示制御部は、複数種類の演算結果のそれぞれを表示部に表示させ得る。この場合、このタイル割付けプログラムは演算結果を選択することができ、これにより、複数種類の演算結果のなかでより好ましい演算結果を選択することができる。
【００１５】
本発明のタイル割付けプログラムの入力受付部は、仕上がり及び貼り付け作業の効率を優先する度合いの入力を受け付け得る。度合いとは、仕上がり及び貼り付け作業の効率のそれぞれをどの程度考慮するかを示す尺度である。例えば、仕上がりを優先する場合、仕上がりを優先する度合いを大きくし、貼り付け作業の効率を優先する度合いを小さくする。貼り付け作業の効率を優先する場合、貼り付け作業の効率を優先する度合いを大きくし、仕上がりを優先する度合いを小さくする。仕上がり及び貼り付け作業の効率の両方を考慮する場合、仕上がり及び貼り付け作業の効率のそれぞれを優先する度合いを同程度にする。この場合、このタイル割付けプログラムは、仕上がりを優先するか、貼り付け作業の効率を優先するかを現場の状況に合わせて容易に変更することができる。
【００１６】
本発明のタイル割付けプログラムの表示制御部は、貼付け面にタイルを貼り付けた状態を表す画像を表示部に表示させ得る。この場合、このタイル割付けプログラムは、貼付け面にタイルを貼り付ける前にタイル施工者に対して施工後のイメージを把握させることができる。これにより、タイル施工者は、切断したタイルの貼付け面における位置を予め把握することができ、タイルの施工がより行い易くなる。
【００１７】
次に、本発明のタイル割付けプログラムが実装されるタイル割付け装置を具体化した実施例１について、図面を参照しつつ説明する。
【００１８】
＜実施例１＞
＜タイル割付け装置の全体構成＞
タイル割付け装置１０は、図１に示すように、制御回路１１、入力インタフェース１２、ディスプレイ１３、及びメモリ１４等を備えている。タイル割付け装置１０は、例えば、タブレット端末、スマートフォン、ノートＰＣ、又はデスクトップ型のコンピュータ等として構成される。
制御回路１１は、実施例１のタイル割付けプログラムを実行する。
入力インタフェース１２は、使用者、例えばタイル施工者による指示入力等の入力情報の入力を受け付けて制御回路１１に伝達する。入力インタフェース１２は、マウス、キーボード、タッチパッド、カメラ、又はスキャナ等であってもよい。
【００１９】
ディスプレイ１３は、制御回路１１により生成される画面を表示する。ディスプレイ１３は、液晶表示装置、有機ＥＬ表示装置などであってもよい。入力インタフェース１２及びディスプレイ１３は、タッチパネルとして実装されてもよい。
【００２０】
メモリ１４は、制御回路１１により使用されるプログラム、データなどを記憶する。メモリ１４は、半導体メモリ、ハードディスクなどであってもよい。
【００２１】
制御回路１１は、入力受付機能１１１、演算機能１１２、表示制御機能１１３、及び修正機能１１４を実現する。これらの構成は、ハードウエア的には、任意のコンピュータのＣＰＵ、メモリ、その他のＬＳＩなどにより実現され、ソフトウエア的にはメモリ１４にロードされたプログラムなどによって実現されるが、ここではそれらの連携によって実現される機能ブロックを描いている。したがって、これらの機能ブロックがハードウエアのみ、又はハードウエアとソフトウエアの組合せなど、いろいろな形で実現できることは、当業者には理解されるところである。
【００２２】
制御回路１１は、演算機能１１２によってプログラムを実行し、プログラムの実行によって、入力インタフェース１２で入力された入力情報に基づいて、貼付け面に対するタイルの割付け、及び貼付け面における墨出し位置を演算して演算結果として算出する演算部として機能する。制御回路１１は表示制御機能１１３によって表示制御部として機能する。
【００２３】
入力インタフェース１２は、制御回路１１の入力受付機能１１１によって、タイルを貼り付ける貼付け面の形状及び寸法、タイルの配列パターン、及びタイルを特定する情報（すなわち、貼付け面に割付ける結果や貼付け面における墨出し位置の結果を演算するために必要な情報）をタイル割付け装置１０に入力する入力受付部として機能する。タイルを特定する情報には、品番と、形状と、寸法とが関連づけられたテーブル情報が含まれていてもよい。
入力インタフェース１２は、制御回路１１の修正機能１１４によって、貼付け面の形状及び寸法を修正する修正部として機能する。
【００２４】
ディスプレイ１３は、表示制御機能１１３により表示制御部として機能する制御回路１１によって、制御回路１１で実行されたプログラムの演算結果を表示する表示部として機能する。
【００２５】
メモリ１４は、例えば、ＲＯＭ等で構成されており、実施例１のプログラムを記憶し得る構成とされている。
【００２６】
＜プログラムの動作の説明＞
次に、タイル割付け装置１０において、プログラムを動作させてタイルの割付けを演算し演算結果を算出する手順について図２等を参照しつつ説明する。
【００２７】
先ず、タイル割付け装置１０において、タイル施工者はメモリ１４に記憶されたプログラムを制御回路１１に読み込ませてプログラムを起動させる。そして、タイル割付け装置１０は貼付け面の図面を取り込む（ステップＳ３１）。具体的には、タイル割付け装置１０は、入力インタフェース１２を制御回路１１の入力受付機能１１１によって入力受付部として機能させて、カメラで貼付け面の図面を撮像した画像や、スキャナで貼付け面の図面を読み込んで生成されたＰＤＦデータ等を取り込む。ステップＳ３１では建物の外周を構成する複数の貼付け面のそれぞれの図面を取り込むことができる。このとき、制御回路１１は表示制御機能１１３によって表示制御部として機能し、表示部としてディスプレイ１３（以下、単にディスプレイ１３ともいう）を機能させる。ディスプレイ１３には、図面取り込み画面３１が表示される。図面取り込み画面３１には取り込んだ貼付け面の図面のデータ３１Ａが表示される（図３参照。）。ステップＳ３１は貼付け面の形状を自動的に認識する。なお、ステップＳ３１は貼付け面の設計寸法をタイル割付け装置１０に取り込むことが目的である。このため、ステップＳ３１において、図面に記載された貼付け面の設計寸法を入力インタフェース１２のタッチパネル（以下、単に入力インタフェース１２ともいう）を用いて入力する構成としてもよい。つまり、入力インタフェース１２はタイルを貼り付ける貼付け面の形状及び寸法を入力する。
【００２８】
このとき、取り込んだ貼付け面におけるタイルの割付けが、後述する効率重視型か、仕上がり重視型か、バランス型であるのかを選択し、選択した結果を入力インタフェース１２を用いてタイル割付け装置１０に入力する構成としてもよい。つまり、入力インタフェース１２は仕上がり及び貼り付け作業の効率を優先する度合いを入力する。
【００２９】
また、ステップＳ３１において、タイルの配列パターンを選択し、選択した結果を入力インタフェース１２を用いてタイル割付け装置１０に入力する構成としてもよい。タイルの配列パターンには通し目地や馬踏み目地等のパターンがある。つまり、入力インタフェース１２はタイルの配列パターンをタイル割付け装置１０に入力する。
【００３０】
貼付け面の設計寸法をタイル割付け装置１０に取り込むことができない場合には、汎用の模式図の中から貼付け面の形状に類似した模式図を選択してもよい。また、取り込んだ貼付け面の外形形状が矩形状でない場合、プログラムは、貼付け面を横方向に並ぶ複数の矩形状の領域Ｒ１，Ｒ２，Ｒ３，Ｒ４，Ｒ５に区分けして、各領域Ｒ１，Ｒ２，Ｒ３，Ｒ４，Ｒ５毎に割付けの演算を実行し得る（図４参照。）。
【００３１】
次に、タイル施工者は施工するタイルの種類を選択する（ステップＳ３２）。具体的には、外形寸法等が異なる複数種類のタイルのデータがメモリ１４に記憶されており、ステップＳ３２において、タイル施工者はこれら複数種類のタイルの内の１つを選択する。このとき、ディスプレイ１３には複数種類のタイルのそれぞれの画像３２Ａ，３２Ｂ，３２Ｃ，３２Ｄ，３２Ｅが表示されたタイル選択画面３２が表示される（図５参照。）。タイル施工者は入力インタフェース１２を用いて画像３２Ａ，３２Ｂ，３２Ｃ，３２Ｄ，３２Ｅのいずれかを選択する。こうして、入力インタフェース１２はタイルを特定する情報をタイル割付け装置１０に入力する。
【００３２】
次に、タイル施工者はタイルの実寸法を測定する（ステップＳ３３）。一般的に、タイル等の工業製品は形状の誤差を有している。このため、より正確な結果を算出するため、タイル割り付け装置１０に実寸法を取り込むことによって、タイルの外形寸法の数値を修正してもよい。具体的には、タイル施工者はステップＳ３２において選択したタイルで構成されたユニットタイルの上下方向及び左右方向のそれぞれの実寸法を測定する。この時に測定するユニットタイルの実寸法は目地の寸法を含んだ寸法である。こうして測定したユニットタイルの上下方向及び左右方向の実寸法に基づいて貼付け面において隣合う墨出し同士の間隔（ピッチ）は決定される。墨出し同士の間隔とは、貼付け面に対して隣合い記される基準となる線同士の間隔である。
【００３３】
このとき、ディスプレイ１３にはタイル実寸法入力画面３３が表示される。タイル実寸法入力画面３３には、模式図３３Ｂ、領域３３Ｃ、領域３３Ｄが表示される。模式図３３Ｂにはユニットタイルの画像が表示される。領域３３Ｃにはタイル割付け装置１０に入力した上下方向の実寸法が表示される。領域３３Ｄにはタイル割付け装置１０に入力した左右方向の実寸法が表示される（図６参照。）。
【００３４】
次に、タイル施工者は出隅入隅選択を行う（ステップＳ３４）。具体的には、タイル施工者は割付けを行う各貼付け面の左右両端において、出隅か入隅かを選択する。ステップＳ３４において、ディスプレイ１３には、出隅入隅選択画面３５が表示され、ステップＳ３１において取り込んだ貼付け面の画像３５Ａと、この貼付け面の左右両端のそれぞれにおいて、出隅か入隅かを選択するアイコン３５Ｂ，３５Ｃとが表示される（図７参照。）。タイル施工者は、貼付け面の左右両端における出隅か入隅かの情報をアイコン３５Ｂ，３５Ｃを選択することによってタイル割付け装置１０に入力する。出隅入隅選択は、ステップＳ３１において読み込んだ建物の外周を構成する複数の貼付け面のそれぞれに対して行うことができる。
【００３５】
次に、設計寸法の修正を行う場合、タイル施工者は貼付け面の実寸法及び倒れ寸法を測定する（ステップＳ３５）。具体的には、タイル施工者は現物の貼付け面の上下方向及び左右方向の実寸法と、貼付け面が広がる方向に沿った方向における貼付け面の倒れ寸法を測定する。貼付け面の倒れ寸法とは、貼付け面が広がる方向に沿った方向に貼付け面が歪んでいる場合における、貼付け面の左右の辺のそれぞれが鉛直方向に対して傾斜した寸法である。貼付け面の倒れ寸法は、例えば、下げ振り（錘重）を用いて測定する。具体的には、タイル施工者は下げ振りを吊るす糸を貼付け面の左端部又は右端部の上端部に固定する。そして、タイル施工者は下げ振りを静止した状態にして、下げ振りを吊るす糸の上端部と下端部における貼付け面の左端、又は右端からの寸法を測定する。こうして測定した貼付け面の実寸法及び倒れ寸法をタイル施工者は入力インタフェース１２を用いてタイル割付け装置１０に入力する。貼付け面の倒れ寸法は貼付け面の外形形状が設計された形状に対して変形しているかどうかを示すものである。
【００３６】
ステップＳ３５は、ステップＳ３１において取り込んだ貼付け面の図面から得られた情報を実際の貼付け面の変形した形状や寸法に書き換えて修正する作業である。これにより、貼付け面の図面から得られた情報は実際の貼付け面の形状や寸法に置き換えられる。つまり、ステップＳ３５において、入力インタフェース１２は制御回路１１の修正機能１１４によって貼付け面の形状及び寸法を修正する修正部として機能する。ステップＳ３５は、ステップＳ３１において読み込んだ建物の外周を構成する複数の貼付け面のそれぞれに対して行うことができる。
【００３７】
次に、制御回路１１は貼付け面に対するタイルの割付け、及び貼付け面における墨出し位置を演算し、演算結果を表示する（ステップＳ３６）。具体的には、プログラムによって演算部として機能するタイル割付け装置１０の制御回路１１（以下、単に制御回路１１ともいう）は、ステップＳ３１〜Ｓ３５においてタイル割付け装置１０に入力された各情報に基づいて、貼付け面に対するタイルの割付け、及び貼付け面における墨出し位置を演算して演算結果として算出する。このとき、制御回路１１はステップＳ３１で選択された３種類の割付け（効率重視型、仕上がり重視型、又はバランス型）の内の１つのタイルの割付けを演算する。
【００３８】
そして、ディスプレイ１３は、割付け墨出し表示画面３７を表示する。割付け墨出し表示画面３７には割付け計算結果を表す領域３７Ａ、及び墨出し位置を表す領域３７Ｂが含まれる（図８参照。）。墨出し位置は、例えば、タイルの施工に必要な基準となる線、又は基準の位置を示すための墨出しを行う位置を表す。
【００３９】
領域３７Ａに表示される割付け計算結果には、ステップＳ３５で入力した貼付け面の実寸法及び倒れ寸法と共に、貼付け面の左右方向と上下方向とのそれぞれにおけるタイルの割付けに関する情報が含まれる。
【００４０】
左右方向のタイルの割付けに必要なタイル割付けに関する情報にはユニットタイル、及び単品のタイルの情報が含まれる。ユニットタイルの情報には、左右方向に並べることができるユニットタイルの数が含まれる。単品のタイルの情報には、切断後のタイル（以下、切断タイルともいう）の寸法、左右方向に１列に並ぶタイル群（以下、１つのタイル群ともいう）における切断タイルの数、及びこの貼付け面における切断タイルの総数等が含まれる。こうして、タイル施工者は切断タイルの寸法や総数をタイルの施工前に把握することができる。
【００４１】
上下方向のタイルの割付けに必要なタイル割付けに関する情報は、上下方向に並べることができるユニットタイルの数、及びユニットタイルが配置できない（すなわち、ユニットタイルの上下方向の寸法より小さい）寸法等が含まれる。ユニットタイルが配置できない寸法である場合（すなわち、ユニットタイルが配置できない領域がある場合）、この寸法に基づいて、単品のタイルを配置する数を求めることができる。
【００４２】
さらに、割付け計算結果を表す領域３７Ａには、ステップＳ３５において測定した貼付け面の倒れ寸法に基づいて、貼付け面の左右両端のそれぞれの倒れの度合い、及び左右両端のそれぞれの倒れ方向（左又は右）も含まれる。倒れの度合いとは鉛直方向に対して貼付け面の左右の辺が傾斜する程度の大きさである。倒れ方向とは、貼付け面の左右の辺のそれぞれが傾斜する方向である。
【００４３】
墨出し位置を表す領域３７Ｂには、タイルの施工に必要な上下方向に伸びる基準となる線（以下、上下基準線ともいう）及びタイルの施工に必要な左右方向に伸びる基準となる線（以下、左右基準線ともいう）のそれぞれの貼付け面における位置の情報が表示される。例えば、貼付け面の左端から最も左側の上下基準線までの寸法、貼付け面の右端から最も右側の上下基準線までの寸法、上下に隣合う左右基準線同士の寸法（ピッチ）、切断タイルの寸法、１つのタイル群における切断タイルの数、最も下に位置する左右基準線と土台との間の寸法、及び左右に隣合う上下基準線同士の寸法（ピッチ）等が含まれる。タイル施工者はこうして得られた墨出し位置を現物の貼付け面に墨出しする。ステップＳ３６は、ステップＳ３１において読み込んだ建物の外周を構成する複数の貼付け面のそれぞれに対して行うことができる。
【００４４】
次に、各開口部の左右に隣接するタイルの切断後の寸法を拾い出す（ステップＳ３７）。開口部とは、例えば、窓やドアや換気扇等を配置するために貼付け面に形成される開口である。例えば、開口部は、図１３に示すように、開口部Ａ１，Ａ２，Ａ３として貼付け面Ｐに設けられる。具体的には、各開口部と各開口部の周囲に隣接する墨出しされた基準となる線（上下基準線、左右基準線）との間の寸法等を入力することによって、各開口部の左右に隣接するタイルの切断後の寸法を演算して演算結果を得る。寸法の計算については、ステップＳ３１において取り込んだ設計寸法に基づいてステップＳ３６にて演算されているが、より正確な倍率とするには、実寸法を用いて再度演算することが好ましい。このとき、ディスプレイ１３には表示制御機能１１３により表示制御部として機能する制御回路１１によって寸法拾い出し画面３８が表示される。
【００４５】
寸法拾い出し画面３８には、寸法入力図３８Ａ、第１結果表示領域３８Ｆ、及び第２結果表示領域３８Ｇが表示される（図９参照。）。寸法入力図３８Ａには、開口部と開口部の各辺に隣合う上下基準線、及び左右基準線とが模式的に描画されている。寸法入力図３８Ａには、領域３８Ｂ，３８Ｃ，３８Ｄ，３８Ｅ，３８Ｈ，３８Ｊが表示される。領域３８Ｂはタイル割付け装置１０に入力した開口部の上下の実寸法を表示する領域である。領域３８Ｃはタイル割付け装置１０に入力した開口部の左辺と開口部の左辺に隣合う上下基準線との間の実寸法を表示する領域である。領域３８Ｄはタイル割付け装置１０に入力した開口部の右辺と開口部の右辺に隣合う上下基準線との間の実寸法を表示する領域である。領域３８Ｅはタイル割付け装置１０に入力した開口部の上下左右の縁からタイルを控える寸法を表示する領域である。領域３８Ｈはタイル割付け装置１０に入力した開口部の上辺と開口部の上辺に隣合う左右基準線との間の実寸法を表示する領域である。領域３８Ｊはタイル割付け装置１０に入力した開口部の下辺と開口部の下辺に隣合う左右基準線との間の実寸法を表示する領域である。タイル施工者が測定した各実寸法をタイル割付け装置１０に入力すると、各領域３８Ｂ，３８Ｃ，３８Ｄ，３８Ｅ，３８Ｈ，３８Ｊには入力した寸法が表示される。
【００４６】
制御回路１１は、寸法入力図３８Ａを参照しつつ入力した各実寸法に基づいて演算した演算結果を第１結果表示領域３８Ｆに表示する。具体的に、第１結果表示領域３８Ｆには、開口部の左辺とこの辺に隣合う上下基準線との間に配置することができる切断しないユニットタイルの数と、開口部の右辺とこの辺に隣合う上下基準線との間に配置することができる切断しないユニットタイルの数と、開口部の上辺とこの辺に隣合う左右基準線との間に配置することができる切断しないユニットタイルの数と、開口部の下辺とこの辺に隣合う左右基準線との間に配置することができる切断しないユニットタイルの数とが表示される。
【００４７】
さらに、第１結果表示領域３８Ｆには、開口部の左辺に隣接する切断後のタイルの寸法及び数と、開口部の右辺に隣接する切断後のタイルの寸法及び数と、開口部の上側におけるユニットタイルから切り離して配置するタイルの数と、開口部の下側におけるユニットタイルから切り離して配置するタイルの数とが表示される。
【００４８】
なお、タイルの配置が通し目地の場合、開口部の左右のそれぞれにおいて、切断後のタイル寸法は１種類ずつ表示される。タイルの配置が馬踏み目地の場合、第１結果表示領域３８Ｆには、開口部の左右のそれぞれにおいて切断後のタイル寸法は少なくとも２種類ずつ表示される。
【００４９】
第２結果表示領域３８Ｇには、この開口部の左右方向及び上下方向の寸法、開口部の上下左右の縁からタイルを控える寸法、開口部の左辺に隣接する切断後のタイルの寸法及び数、開口部の右辺に隣接する切断後のタイルの寸法及び数、開口部の上側においてユニットタイルから切り離して配置するタイルの数、及び開口部の下側においてユニットタイルから切り離して配置するタイルの数等が表示される。
【００５０】
１つの貼付け面に複数の開口部が形成されている場合、タイル施工者は各開口部毎に、開口部の上下左右の各辺と、開口部の各辺にそれぞれ隣合う上下基準線又は左右基準線との間の実寸法を測定し、これら寸法を入力インタフェース１２を用いてタイル割付け装置１０に入力する。こうして、タイル施工者は各開口部の左右の辺に隣接するタイルの切断後の寸法を拾い出すことができる。
【００５１】
次に、各開口部におけるタイルの切断後の寸法の一覧表を表示する（ステップＳ３８）。具体的には、ディスプレイ１３には表示制御機能１１３により表示制御部として機能する制御回路１１によって切断寸法一覧表３９が表示される（図１０参照。）。切断寸法一覧表３９には貼付け面の図面３９Ａ、及び一覧表３９Ｂが表示される。貼付け面の図面３９ＡはステップＳ３１で取り込んだ図面に対応しており、図面に記載された各開口部を識別する識別符号Ｆ１〜Ｆ３が付されている。
【００５２】
一覧表３９Ｂには、ステップＳ３７における第１結果表示領域３８Ｆに表示された演算結果が、識別符号Ｆ１〜Ｆ３毎にまとめられて表示され、識別符号Ｆ１〜Ｆ３のそれぞれに紐づけされている。ステップＳ３７、Ｓ３８は各貼付け面毎に実行することができる。
【００５３】
タイル施工者は、こうして得られた切断寸法一覧表３９に基づいて、貼付け面にタイルを施工する前にタイルを切断し、貼付け面に貼り付けるタイルを予め揃えて準備した後、タイルを貼付け面に施工する。タイル施工者は貼付け面の左右の端における倒れ寸法を把握している。このため、タイル施工者は倒れ寸法に基づいて、目地の寸法を調整しつつタイルを貼付け面に施工することができる。
【００５４】
なお、ステップＳ３１において効率重視型、仕上がり重視型、バランス型のいずれかの選択をしない構成とし、制御回路１１において、これら各条件に対応した割付け結果をそれぞれ演算して演算結果として算出する構成としてもよい。つまり、制御回路１１は複数種類（効率重視型、仕上がり重視型、バランス型の３種類）の演算結果を算出してもよい。この場合、制御回路１１は、効率重視型、仕上がり重視型、バランス型の３種類のそれぞれにおいて、少なくともタイルの総数、切断するタイルの数、及び切断後のタイルの寸法を演算する。
【００５５】
そして、ディスプレイ１３は、効率重視型、仕上がり重視型、バランス型の３種類に対応した演算結果のそれぞれを表示してもよい。つまり。ディスプレイ１３は複数種類（効率重視型、仕上がり重視型、バランス型の３種類）の演算結果のそれぞれを表示してもよい。この場合、例えば、ディスプレイ１３は、少なくともタイルの総数、切断するタイルの数、及び切断後のタイルの寸法を１つの組として表示する。
【００５６】
例えば、この場合、ディスプレイ１３にはステップＳ３６における割付け墨出し表示画面３７、ステップＳ３７の寸法拾い出し画面３８における第１結果表示領域３８Ｆ、第２結果表示領域３８Ｇ、及びステップＳ３８の切断寸法一覧表３９における一覧表３９Ｂのそれぞれにおいて、効率重視型、仕上がり重視型、バランス型のそれぞれに対応した演算結果が表示される。
【００５７】
次に、効率重視型、仕上がり重視型、及びバランス型のそれぞれにおける貼付け面に対するタイルの割付け方法について具体的に説明する。
効率重視型は作業の手間の低減を重視した割付けである。仕上がり重視型は仕上がり（見た目）の良さを重視した割付けである。バランス型は効率重視の割付け、及び仕上がり重視の割付けの両方を適度に考慮するようにした割付けである。これら３種類の割付けは、各現場の判断によって、重視される要因が異なることが考えられるため、この異なる要因にきめ細かく対応するためのものである。
【００５８】
例えば、隣の家との間に位置する貼付け面は見え難いため効率重視型の仕上がりとすることが考えられる。道路に面する位置の貼付け面は遠くから眺められることが考えられるためバランス型とすることが考えられる。玄関周りの貼付け面は間近で見られることが考えられるため仕上がり重視型とすることが考えられる。
【００５９】
ここで、タイルの割付けの基本的な考え方について説明する。
貼付け面は左右両側が出隅、左右の一方側が出隅で他方側が入隅、及び左右の両側が入隅の３パターンが考えられる。この３パターンは貼付け面の外形形状が矩形状でない場合においても適用することができる。
【００６０】
例えば、左右両側が出隅の場合、図１１に示すように、貼付け面の左右方向の寸法ａは、タイルの寸法Ｘと目地の寸法αとの合計をｎ倍した値と、２つの出隅用の役物の寸法Ｘ’及び目地の寸法αの合計を２倍した値と、切断タイルの寸法Ａとの合計として表される（数１参照。）。
【００６１】
【数１】
2020149465.tif 000003
【００６２】
そして、切断タイルの寸法Ａは数１の式を変形し、数２の式ように表される。
【００６３】
【数２】
2020149465.tif 000004
【００６４】
切断タイルの寸法Ａが小さい（例えば、切断前のタイルの寸法Ｘの１／２未満）場合は見た目が良好でないとされる。この場合、１つあたりの切断タイルの寸法Ａは１つのタイル群において、切断タイルの数を２つにすることによって大きくすることができる。
【００６５】
タイルの寸法Ｘが１５０ｍｍで、切断タイルを１つとするとき、切断タイルの寸法Ａが５０ｍｍ（切断前のタイルの寸法Ｘの１／２未満）になってしまう場合を例にして説明する。この場合、１つあたりの切断タイルの寸法Ａは切断タイルを２つにすることによって（１５０ｍｍ＋５０ｍｍ）／２＝１００ｍｍ（切断前のタイルの寸法Ｘの１／２以上）とすることができる。
【００６６】
貼付け面におけるタイルの割付けは左右対称にすると見た目が良いとされている。このため、切断タイルは比較的目立ち難い左右両側の出隅用の役物の隣に配置することが好ましい。１つのタイル群において切断タイルが１つの場合、切断タイルは左右のいずれか一方の出隅用の役物の隣に配置される。
【００６７】
貼付け面に大きな開口部Ｋが形成され、貼付け面の中央部に切断タイルを配置しても目立ち難い場合、切断タイルは開口部Ｋの上側及び下側に配置してもよい。さらに、開口部が上下に並んで配置されている場合、切断タイルは、図１３に示すように、開口部Ａ１，Ａ２の隣合う間、開口部Ａ１の上側、及び開口部Ａ２の下側に配置してもよい。
【００６８】
また、左右一方側が出隅で他方側が入隅である場合、入隅側はいづれにしてもタイルを切断する必要が生じる。このため、貼付け面に対してタイルは、出隅側から順に貼りつけていき、入隅側でタイルを切断すればよい。
【００６９】
また、左右両側が入隅である場合、タイルは左右両側の入隅で切断する必要が生じる。このため、タイルは、左右両側の入隅において切断タイルの寸法が同程度となるようにして、貼付け面の見た目を左右対称になるように割付ければよい。
【００７０】
＜効率重視型＞
効率重視型のタイルの割付け方法は、図１２に示すように、先ず、貼付け面の左右方向の寸法とタイル、出隅用の役物、及び目地寸法から、切断タイルの寸法を仮決めする（ステップＳ１）。具体的には、切断タイルの寸法Ａは貼付け面の左右方向の寸法ａ、タイルの寸法Ｘ、目地の寸法α、タイルの枚数である整数ｎ、出隅用の役物の寸法Ｘ’として数２の式で仮決めされる。このとき、例えば切断タイルの寸法Ａが所定の寸法未満（例えば、タイルの寸法Ｘの１／２未満）の場合、１つのタイル群における切断タイルの数は２つにする。切断タイルの数を２つにした場合の１つ当たりの切断タイルの寸法Ａ’は数３の式で表される。
【００７１】
【数３】
2020149465.tif 000005
【００７２】
次に、切断タイルの数が最も少なくなる開口部の位置に切断タイルを配置する（ステップＳ２）。具体的には、ステップＳ２においては開口部Ａ３の上側下側ではなく、上下に並んで配置された開口部Ａ１，Ａ２の隣合う間、開口部Ａ１の上側、及び開口部Ａ２の下側に切断タイルＣを配置することによって、貼付け面Ｐにおける切断タイルの総数を少なくする（図１３参照。）。
【００７３】
次に、ステップＳ２において切断タイルを配置した状態で、各開口部の左右におけるタイルの切断位置を決定する（ステップＳ３）。具体的には、各開口部Ａ１，Ａ２，Ａ３の左右においては、各開口部Ａ１，Ａ２，Ａ３の縁に沿って直線的にタイルを切断することになる。このため、ステップＳ３においては貼付け面Ｐの左端Ｅ１、及び右端Ｅ２から各開口部Ａ１，Ａ２，Ａ３の左右両端までの寸法（Ｄ１，Ｄ２，Ｄ３，Ｄ４，Ｄ５）を把握することによって、各開口部Ａ１，Ａ２，Ａ３に隣接するタイルを切断する寸法を求める（図１３参照。）。
なお、実際の貼付け面にはタイル施工者によって墨出しがなされる。この場合、各開口部Ａ１，Ａ２，Ａ３に隣合う最も近い墨出しされた基準となる線から各開口部Ａ１，Ａ２，Ａ３の左右両端までの寸法を把握することによっても、各開口部Ａ１，Ａ２，Ａ３に隣接するタイルを切断する寸法は求めることができる。こうして、効率重視型の割付け方法は終了する。
【００７４】
＜仕上がり重視型＞
仕上がり重視型のタイルの割付け方法は、図１４に示すように、ステップＳ１１が効率重視型のタイルの割付け方法のステップＳ１と同様であるため、詳細の説明は割愛する。
【００７５】
次に、左右両側の出隅用の役物の隣に切断タイルを配置する（ステップＳ１２）。具体的には、ステップＳ１２においては左側の出隅用の役物Ｍ１の右側、及び右側の出隅用の役物Ｍ２の左側のそれぞれに隣接して切断タイルＣを配置する（図１５参照。）。また、１つのタイル群において切断タイルＣの数が１つの場合、切断タイルＣは出隅用の役物Ｍ１又は右側の出隅用の役物Ｍ２のいずれか一方に隣接して配置する。
【００７６】
次に、ステップＳ１２において切断タイルを配置した状態で、各開口部の左右におけるタイルの切断位置を決定する（ステップＳ１３）。具体的には、ステップＳ１３においては左側の切断タイルＣの右側、及び右側の切断タイルＣの左側から各開口部Ａ１，Ａ２，Ａ３の左右両端までの寸法（Ｄ１１，Ｄ１２，Ｄ１３，Ｄ１４，Ｄ１５）を把握する。これによって、ステップＳ１３においては各開口部Ａ１，Ａ２，Ａ３に隣接するタイルを切断する寸法を求める（図１５参照。）。なお、各開口部Ａ１，Ａ２，Ａ３に隣接するタイルを切断する寸法は、各開口部Ａ１，Ａ２，Ａ３に最も近い墨出しされた基準となる線から各開口部Ａ１，Ａ２，Ａ３の左右両端までの寸法を把握して求めてもよい。
【００７７】
次に、出隅用の役物、左右の切断タイルの数、及び切断タイルの寸法を調整し、開口部に隣接するタイルを切断する寸法の最適値を演算する（ステップＳ１４）。具体的には、ステップＳ１４においては左右の出隅用の役物Ｍ１，Ｍ２の種類を変更したり、左側右側にそれぞれ配置された切断タイルＣの一方の寸法を所定の寸法（例えば１０ｍｍ）大きくし、且つ他方の寸法を所定の寸法（例えば１０ｍｍ）小さくしたり、１つのタイル群における切断タイルの数を１つ又は２つに変更したりする。ステップＳ１４においては、こうして演算した結果に基づいて開口部Ａ１，Ａ２，Ａ３の左右に隣接する全てのタイルの切断後の寸法を所定の寸法以上（例えば、少なくとも１０ｍｍ以上）となるように調整する。そして、全ての開口部Ａ１，Ａ２，Ａ３の左右に隣接するタイルの切断後の寸法が１０ｍｍ以上となる結果を出力する（ステップＳ１５）。こうして、仕上がり重視型のタイルの割付け方法は終了する。
【００７８】
＜バランス型＞
バランス型のタイルの割付け方法は、図１６に示すように、ステップＳ２１〜ステップＳ２３が効率重視型のタイルの割付け方法におけるステップＳ１〜ステップＳ３と同様であるため、詳細の説明は割愛する。
【００７９】
次に、切断タイルを配置する位置を他の開口部に変更して寸法の最適値を演算する（ステップＳ２４）。具体的には、ステップＳ２４では、ステップＳ２１において決定した１つのタイル群における切断タイルの数が１つの場合、１つのタイル群における切断タイルＣの数を２つに変更して、一方の切断タイルＣの位置を開口部Ａ１，Ａ２の間、上側、及び下側に配置し、他方の切断タイルＣの位置を開口部Ａ３の上側及び下側に配置したり（図１７参照）、ステップＳ２１で決定した切断タイルＣの位置を開口部Ａ３に配置したり（図１８参照）して、開口部Ａ１，Ａ２，Ａ３の左右に隣接するタイルの切断後の寸法の最小値が最大となる結果を演算する。そして、開口部Ａ１，Ａ２，Ａ３の左右に隣接するタイルの切断後の寸法の最小値が最大となる結果を出力する（ステップＳ２５）。こうして、バランス型のタイルの割付け方法は終了する。
【００８０】
貼付け面に対するタイルの割付けには、貼付け面におけるタイルの総数、貼付け面における切断するタイルの総数、切断後のタイルの寸法、及び貼付け面におけるタイルの貼り付け位置が含まれる。ここで、切断するタイルには、貼付け面の左右方向の寸法に調整するために切断するタイル（切断タイル）と、開口部の左右に隣接するタイルが含まれる。切断後のタイルの寸法には、貼付け面の左右方向の寸法に調整するために切断するタイル（切断タイル）の寸法と、開口部の左右に隣接するタイルの切断後の寸法が含まれる。
【００８１】
このように、このタイル割付けプログラムによれば、演算部として機能する制御回路１１において、タイルの総数、切断するタイルの数、及び切断後のタイルの寸法を演算結果として得ることができる。このため、このタイル割付けプログラムは、タイルを施工する前に、予めタイルを切断することができるため、タイル施工者が現物合わせでタイルを切断して施工する手間を抑えることができる。
【００８２】
したがって、本発明のタイル割付けプログラムはタイルを施工するタイル施工者にかかる手間を抑えることができ、また、タイル施工者の技量によらず、タイルを貼付けた貼付け面の仕上がりのばらつきを抑え安定した仕上がりにすることができる。
【００８３】
タイル割付けプログラムは、タイルの割付けに、さらにタイルの貼り付け位置が含まれる。このため、タイル施工者は切断後のタイルの貼り付け位置を把握することができるため、貼付け面にタイルを効率よく貼り付けることができる。
【００８４】
タイル割付けプログラムの演算部は、貼付け面における墨出し位置を演算し、表示制御部は、墨出し位置を表示部に表示させる。このため、タイル施工者は、予め墨出し位置を把握することができるため、貼付け面に対して墨出しを容易に行うことができる。
【００８５】
タイル割付けプログラムは、貼付け面の形状及び寸法を修正する修正部としてタイル割付け装置１０の入力インタフェース１２を機能させる。このため、このタイル割付けプログラムは貼付け面の寸法を修正することができる。例えば、図面に基づいて貼付け面の寸法を修正部で入力した後、現物の貼付け面の寸法を確認し、図面と現物との間に差異があることが判明した場合であっても、修正部によって既に入力した貼付け面の寸法を現物の貼付け面の寸法に容易に修正することができる。
【００８６】
タイル割付けプログラムの演算部として機能する制御回路１１は、複数種類の演算結果を算出し、表示制御部として機能する制御回路１１は、複数種類の演算結果のそれぞれを表示部として機能するディスプレイ１３に表示させる。このため、このタイル割付けプログラムは演算結果を選択することができ、これにより、複数種類の演算結果のなかでより好ましい演算結果を選択することができる。
【００８７】
タイル割付けプログラムの入力受付部として機能する入力インタフェース１２は、仕上がり及び貼り付け作業の効率を優先する度合いの入力を受け付ける。このため、このタイル割付けプログラムは、仕上がりを優先するか、貼り付け作業の効率を優先するかを現場の状況に合わせて容易に変更することができる。
【００８８】
本発明は上記記述及び図面によって説明した実施例１に限定されるものではなく、例えば次のような実施例も本発明の技術的範囲に含まれる。
【００８９】
（１）実施例１では、切断タイルの寸法を切断前のタイルの寸法の１／２未満の場合に切断タイルの数を２つとすることを例示しているが、さらに仕上がりをよくするために、切断タイルの寸法が切断前のタイルの寸法の２／３未満となった場合、切断タイルの数を２つとしてもよい。
【００９０】
また、切断タイルの寸法を切断前のタイルの寸法の２／３以上としてもよいが、この場合、切断タイルの数が３つになる場合が考えられる。例えば、切断前のタイルの寸法が１５０ｍｍで、切断タイルの寸法が２０ｍｍである場合、切断タイルを２つにすると、切断タイルの１つあたりの寸法が（１５０ｍｍ＋２０ｍｍ）÷２＝８５ｍｍとなる。しかし、この切断タイルの寸法（８５ｍｍ）は切断前のタイルの２／３未満の寸法である。このため、切断タイルを３つにすることによって、（１５０ｍｍ＋１５０ｍｍ＋２０ｍｍ）÷３＝１０６．７ｍｍとする。この切断タイルの寸法（１０６．７ｍｍ）は切断前のタイルの２／３以上の寸法である。
【００９１】
（２）実施例１では、ディスプレイ１３に切断寸法一覧表３９を表示しているが、割付け計算結果、墨出し位置、墨出しと開口部との位置関係等に基づいて、貼付け面にタイルを貼り付けた状態を表す画像をディスプレイに表示する構成とすることもできる。つまり、タイル割付けプログラムの表示制御部は、貼付け面にタイルを貼り付けた状態を表す画像を表示部に表示させる。このため、このタイル割付けプログラムは、貼付け面にタイルを貼り付ける前にタイル施工者に対して施工後のイメージを把握させることができる。これにより、タイル施工者は、切断したタイルの貼付け面における位置を予め把握することができ、タイルの施工がより行い易くなる。
【００９２】
（３）実施例１では、ユニットタイルを用いているが、単品のタイルを用いてもよい。
【００９３】
（４）実施例１では、タイルを用いているが、個別のピースを並べて施工するものであれば、石材、木材、合成樹脂パネル等の他の材料を用いてもよい。
【００９４】
今回開示された実施の形態は全ての点で例示であって制限的なものではないと考えられるべきである。本発明の範囲は、今回開示された実施の形態に限定されるものではなく、特許請求の範囲によって示され、特許請求の範囲と均等の意味及び範囲内での全ての変更が含まれることが意図される。
【符号の説明】
【００９５】
１０…タイル割付け装置
１１…制御回路
１２…入力インタフェース
１３…ディスプレイ（表示部）
１１１…入力受付機能（入力受付部）
１１２…演算機能（演算部）
１１３…表示制御機能（表示制御部）
１１４…修正機能（修正部）
【図１】
2020149465.tif 000006
【図２】
2020149465.tif 000007
【図３】
2020149465.tif 000008
【図４】
2020149465.tif 000009
【図５】
2020149465.tif 000010
【図６】
2020149465.tif 000011
【図７】
2020149465.tif 000012
【図８】
2020149465.tif 000013
【図９】
2020149465.tif 000014
【図１０】
2020149465.tif 000015
【図１１】
2020149465.tif 000016
【図１２】
2020149465.tif 000017
【図１３】
2020149465.tif 000018
【図１４】
2020149465.tif 000019
【図１５】
2020149465.tif 000020
【図１６】
2020149465.tif 000021
【図１７】
2020149465.tif 000022
【図１８】
2020149465.tif 000023